(57)【要約】【課題】表示された画像に対して指示体により描画が行われた場合、表示する画像の変化に応じて描画像を変化させる。【解決手段】プロジェクター１０は、画像を表示面に表示する表示部と、表示面に対する指示体の位置を特定する位置特定部と、位置特定部が特定した位置に基づく描画像を生成する描画部と、外部装置から供給される背景画像に描画像を重畳した画像を生成して表示部へ供給する画像制御部と、外部装置から背景画像の変化に応じて送られる通知を取得する取得部とを有し、画像制御部は、取得部が取得した通知に応じて描画像を処理する。【選択図】図１
2017181539.tif 000002
【特許請求の範囲】
【請求項１】
画像を表示面に表示する表示部と、
前記表示面に対する指示体の位置を特定する位置特定部と、
前記位置特定部が特定した位置に基づく描画像を生成する描画部と、
外部装置から供給される背景画像に前記描画像を重畳した前記画像を生成して前記表示部へ供給する画像制御部と、
前記外部装置から前記背景画像の変化に応じて送られる通知を取得する取得部と
を有し、
前記画像制御部は、前記取得部が取得した通知に応じて前記描画像を処理する
表示装置。
【請求項２】
前記通知は、前記描画像の消去を指示する通知である
請求項１に記載の表示装置。
【請求項３】
前記通知は、前記背景画像の変化を表す通知であり、
前記画像制御部は、前記描画像を当該通知に応じて処理する
請求項１に記載の表示装置。
【請求項４】
前記処理は、前記描画像を消去する処理である
請求項２又は請求項３に記載の表示装置。
【請求項５】
前記背景画像は、ページを表す画像であり、
前記通知は、前記ページの変更を表し、
前記表示部が表示している前記描画像と前記表示部が表示している前記ページとを対応付けて記憶する記憶部を有し、
前記画像制御部は、前記通知により特定されるページに対応した前記描画像を前記記憶部から取得し、取得した描画像を重畳する
請求項３に記載の表示装置。
【請求項６】
画像を表示面に表示する表示部を有する表示装置の制御方法であって、
前記表示面に対する指示体の位置を特定する位置特定ステップと、
前記位置特定ステップで特定した位置に基づく描画像を生成する描画ステップと、
外部装置から供給される背景画像に前記描画像を重畳した前記画像を生成して前記表示部へ供給する画像制御ステップと、
前記外部装置から前記背景画像の変化に応じて送られる通知を取得する取得ステップと
を有し、
前記画像制御ステップにおいては、前記取得ステップで取得した通知に応じて前記描画像を処理する
表示装置の制御方法。
【発明の詳細な説明】
【技術分野】
【０００１】
本発明は、表示装置及び表示装置の制御方法に関する。
【背景技術】
【０００２】
指示体をポインティングデバイスとして利用する発明として、例えば特許文献１に開示されたプロジェクターがある。このプロジェクターは、撮像素子を備えており、指示体を撮像素子で撮影する。そしてプロジェクターは、撮影で得られた映像から投写領域における指示体の座標を特定し、特定した座標に基づいて描画の処理を行う。
【先行技術文献】
【特許文献】
【０００３】
【特許文献１】特開２０１３−２４７４８６号公報
【発明の概要】
【発明が解決しようとする課題】
【０００４】
特許文献１のプロジェクターの場合、ＰＣ（Personal Computer）の画像を投写しているときに指示体による描画を行うと、指示体の移動に応じて描画される線は、プロジェクターが生成して投写したものである。ここで、ＰＣが操作されて投写する映像が変わった場合、変化前の画像に対して描画した線が残り、指示体を用いて行われた描画は、変化後の映像に対して意味をなさない描画となってしまう。
【０００５】
本発明は、表示された画像に対して指示体により描画が行われた場合、表示する画像の変化に応じて描画像を変化させる技術を提供する。
【課題を解決するための手段】
【０００６】
本発明は、画像を表示面に表示する表示部と、前記表示面に対する指示体の位置を特定する位置特定部と、前記位置特定部が特定した位置に基づく描画像を生成する描画部と、外部装置から供給される背景画像に前記描画像を重畳した前記画像を生成して前記表示部へ供給する画像制御部と、前記外部装置から前記背景画像の変化に応じて送られる通知を取得する取得部とを有し、前記画像制御部は、前記取得部が取得した通知に応じて前記描画像を処理する表示装置を提供する。
本発明によれば、表示された画像に対して指示体により描画が行われた場合、表示する画像の変化に応じて描画像を変化させることができる。
【０００７】
本発明においては、前記通知は、前記描画像の消去を指示する通知である構成としてもよい。
この構成によれば、通知に応じて描画像を処理し、背景画像に対応していない描画像を消去することができる。
【０００８】
また、本発明においては、前記通知は、前記背景画像の変化を表す通知であり、前記画像制御部は、前記描画像を当該通知に応じて処理する構成としてもよい。
この構成によれば、通知に応じて描画像を処理し、背景画像に対応していない描画像を消去することができる。
【０００９】
また、本発明においては、前記処理は、前記描画像を消去する処理である構成としてもよい。
この構成によれば、通知に応じて描画像を消去し、背景画像に対応していない描画像を消去することができる。
【００１０】
また、本発明においては、前記背景画像は、ページを表す画像であり、前記通知は、前記ページの変更を表し、前記表示部が表示している前記描画像と前記表示部が表示している前記ページとを対応付けて記憶する記憶部を有し、前記画像制御部は、前記通知により特定されるページに対応した前記描画像を前記記憶部から取得し、取得した描画像を重畳する構成としてもよい。
この構成によれば、背景画像が変化した場合、変化前の描画像を消去し、変化後の背景画像に対応した描画像を表示することができる。
【００１１】
また、本発明は、画像を表示面に表示する表示部を有する表示装置の制御方法であって、前記表示面に対する指示体の位置を特定する位置特定ステップと、前記位置特定ステップで特定した位置に基づく描画像を生成する描画ステップと、外部装置から供給される背景画像に前記描画像を重畳した前記画像を生成して前記表示部へ供給する画像制御ステップと、前記外部装置から前記背景画像の変化に応じて送られる通知を取得する取得ステップとを有し、前記画像制御ステップにおいては、前記取得ステップで取得した通知に応じて前記描画像を処理する表示装置の制御方法を提供する。
この方法によれば、表示された画像に対して指示体により描画が行われた場合、表示する画像の変化に応じて描画像を変化させることができる。
【図面の簡単な説明】
【００１２】
【図１】表示システム１を構成する装置を示した図。
【図２】プロジェクター１０と指示体２０のハードウェア構成を示した図。
【図３】制御部１１０と制御部２１０の機能ブロック図。
【図４】指示体を検出するタイムチャートの一例を示した図。
【発明を実施するための形態】
【００１３】
［実施形態］
（実施形態の構成）
図１は、本発明の一実施形態に係る表示システム１を構成する装置を示した図である。表示システム１は、画像の表示面となるスクリーンＳＣに画像を投写するプロジェクター１０、指示体２０、発光装置３０及び情報処理装置４０を備える。
【００１４】
表示装置の一例であるプロジェクター１０は、外部装置の一例である情報処理装置４０にＲＤＰ（Remote Desktop Protocol）で接続し、情報処理装置４０から供給される画像をスクリーンＳＣへ投写する。即ち、プロジェクター１０は、リモートデスクトップのクライアントとして動作する。また、プロジェクター１０は、指示体２０や指が指示した位置に画像を描画する描画機能を備えている。
【００１５】
本実施形態に係るプロジェクター１０は、スクリーンＳＣの斜め上方に設置され、スクリーンＳＣに向けて画像を投写する。本実施形態においては、プロジェクター１０は、スクリーンＳＣへ画像を投写するが、スクリーンＳＣの替わりに壁面（表示面）に画像を投写してもよい。また、本実施形態においては、プロジェクター１０は、金具によって壁面に設置される構成となっているが、天井や机上に設置してもよい。天井に設置する場合は、机上に画像を投写してもよい。
【００１６】
ペン型の指示体２０は、プロジェクター１０を使用するときのポインティングデバイスとして機能し、プロジェクター１０が投写する情報処理装置４０のＧＵＩ（Graphical User Interface）を操作するＰＣ操作機能や、描画機能を利用するときなどに使用される。
【００１７】
発光装置３０は、スクリーンＳＣ上にある指に光（本実施形態では赤外光）を照射する発光部を有する。発光装置３０はスクリーンＳＣの上端より上に設置され、下向きに角度θの範囲に光を拡散させて出射する。発光装置３０から出射された光は、スクリーンＳＣに沿う光の層を形成する。本実施形態では、角度θは、ほぼ１８０度に達し、スクリーンＳＣのほぼ全体に、光の層が形成される。スクリーンＳＣの表面と、発光装置３０により形成される光の層とは近接していることが好ましい。スクリーンＳＣの表面から離れた位置にある指も照射できるように光の層は厚みを持っている。また、発光部を積層することにより離れた位置にある指を照射してもよい。発光装置３０からの光の出射は、プロジェクター１０により制御される。
【００１８】
情報処理装置４０は、所謂パーソナルコンピューターであり、プレゼンテーション用のソフトウェアやワードプロセッサーなどがインストールされている。情報処理装置４０は、リモートデスクトップのサーバーとして機能し、クライアントからのアクセスに応じて実行したプログラムの画面をプロジェクター１０へ供給する。
【００１９】
図２は、プロジェクター１０及び指示体２０のハードウェア構成を示した図である。指示体２０は、制御部２１０、通信部２２０、発光部２３０、操作部２４０、電源２５０を有する。電源２５０は、例えば乾電池又は二次電池であり、制御部２１０、通信部２２０、発光部２３０及び操作部２４０へ電力を供給する。操作部２４０は、電源２５０から各部への電力供給を制御するスイッチ（図示略）を備えている。操作部２４０のスイッチがオンとなると、電源２５０から各部へ電力が供給され、操作部２４０のスイッチがオフとなると、電源２５０から各部へ電力の供給が停止される。発光部２３０は、赤外光を発する発光ダイオードを有しており、指示体２０の先端に設けられている。発光部２３０の点灯及び消灯は、制御部２１０により制御される。発光部２３０は、点光源であり、発光部２３０が発する光は、指示体２０の先端から球面上に広がる。通信部２２０は、赤外光を受光する受光素子を備えている。通信部２２０は、プロジェクター１０から赤外光で送られる各種信号を受信する。通信部２２０は、受信した各種信号を電気信号に変換して制御部２１０へ供給する。制御部２１０は、発光部２３０及び通信部２２０に接続されている。制御部２１０は、通信部２２０から供給される信号に応じて発光部２３０の制御を開始し、発光部２３０の発光ダイオードの点灯及び消灯を制御する。
【００２０】
プロジェクター１０は、制御部１１０、記憶部１２０、操作部１３０、投写部１４０を備える。また、プロジェクター１０は、映像処理部１５０、映像インターフェース１６０、撮像部１７０Ａ、撮像部１７０Ｂ、通信部１８０を備える。制御部１１０は、ＣＰＵ（Central Processing Unit）、ＲＯＭ（Read Only Memory）及びＲＡＭ（Random Access Memory）を備えたマイクロコンピューターである。ＲＯＭに記憶されているプログラムをＣＰＵが実行すると、プロジェクター１０においては、制御部１１０が各部を制御し、画像をスクリーンＳＣに投写する機能や、指や指示体２０をポインティングデバイスとして利用するＰＣ操作機能、描画機能などが実現する。
【００２１】
映像インターフェース１６０は、ＲＣＡ、Ｄ−Ｓｕｂ、ＨＤＭＩ（登録商標）、ＵＳＢ（Universal Serial Bus）などのコネクターを複数有し、外部装置からコネクターに供給された画像を映像処理部１５０へ供給する。映像インターフェース１６０は、無線ＬＡＮやＢｌｕｅｔｏｏｔｈ（登録商標）などの無線通信のインターフェースを有し、無線通信により画像を取得してもよい。
【００２２】
記憶部１２０は、投写する画像の画質に係る設定値や、各種機能に係る情報を記憶する。操作部１３０は、プロジェクター１０を操作するための複数のボタンを備えている。操作されたボタンに応じて制御部１１０が各部を制御することにより、スクリーンＳＣに投写される画像の調整や、プロジェクター１０が有する各種機能の設定などが行われる。また、操作部１３０は、リモートコントローラー（図示略）からの赤外光の信号を受光する受光部（図示略）を備えている。操作部１３０は、リモートコントローラーから送信された信号を電気信号に変換して制御部１１０へ供給し、制御部１１０は、供給される信号に応じて各部を制御する。
【００２３】
投写部１４０と映像処理部１５０は協働し、画像を表示する表示部として機能する。映像処理部１５０は、映像インターフェース１６０から供給される画像を取得する。また、映像処理部１５０は、プロジェクター１０を操作するためのＧＵＩや描画機能で描画する画像（描画像）などのオンスクリーン画像を制御部１１０から取得する。映像処理部１５０は、ＶＲＡＭ（Video RAM）１５１を備えており、外部装置から供給された画像を展開する領域と、制御部１１０から供給されたオンスクリーン画像を展開する領域を備えており、各画像をそれぞれの領域に展開する。映像処理部１５０は、各種の画像処理機能を備えており、ＶＲＡＭ１５１に展開された画像に画像処理を施し、投写する画像の画質を調整する。また、映像処理部１５０は、制御部１１０からオンスクリーン画像が供給された場合には、外部装置から供給された画像にオンスクリーン画像を重畳した画像を投写部１４０へ供給する。
【００２４】
映像を投写する投写部１４０は、光源１４１、ライトバルブ１４２、駆動回路１４４及び投写光学系１４３を有している。光源１４１は、光を発するランプであり、光源１４１が発した光は、図示省略した複数のダイクロイックミラーやミラーによって赤、緑、青の光に分光され、分光された赤、緑、青のそれぞれの光はライトバルブ１４２に導かれる。なお、光源１４１は、ランプではなく、発光ダイオード又はレーザー光を発する半導体レーザー装置であってもよい。
【００２５】
駆動回路１４４は、映像処理部１５０から供給される画像を取得する。駆動回路１４４に供給される画像は、投写する画像における赤の成分の階調を表す階調データ、投写する画像における緑の成分の階調を表す階調データ及び投写する画像における青の成分の階調を表す階調データを有する。駆動回路１４４は、赤、緑、青の各色の階調データを抽出し、抽出した各色の階調データに基づいてライトバルブ１４２を駆動する。
【００２６】
ライトバルブ１４２は、前述の赤の光が入射する液晶ライトバルブ、前述の緑の光が入射する液晶ライトバルブ、及び前述の青の光が入射する液晶ライトバルブを有している。液晶ライトバルブは、透過型の液晶パネルであり、複数行複数列でマトリクス状に配置された画素を備えている。赤の光が入射する液晶ライトバルブは赤の階調データに基づいて駆動され、緑の光が入射する液晶ライトバルブは緑の階調データに基づいて駆動され、青の光が入射する液晶ライトバルブは青の階調データに基づいて駆動される。各液晶ライトバルブは、駆動回路１４４によって各画素が制御されて画素の透過率が変化する。画素の透過率が制御されることにより、液晶ライトバルブを透過した各色の光は、各階調データに対応した画像となる。液晶ライトバルブを透過した赤、緑、青の光の画像は、図示省略したダイクロイックプリズムにより合成されて投写光学系１４３に入射する。投写光学系１４３は、入射した画像を拡大する光学系であり、入射した画像をレンズやミラーによって拡大してスクリーンＳＣに投写する。スクリーンＳＣに画像が投写されると、表示面であるスクリーンＳＣに画像が表示される。なお、透過型の液晶パネルの替わりに反射型の液晶パネルを採用してもよいし、デジタルミラーデバイスなどを用いてもかまわない。
【００２７】
プロジェクター１０は、指示体２０や指の位置及びスクリーンＳＣまでの距離をステレオ方式によって特定するために、２つの撮像部１７０Ａ及び撮像部１７０Ｂを有している。撮像部１７０Ａ及び撮像部１７０Ｂは、発光部２３０が発する赤外光や、発光装置３０から出射されて指で反射した赤外光を受光する撮像素子（ＣＭＯＳやＣＣＤなど）、撮像素子に像を結像する光学系、撮像素子へ入射する光を制限する絞りなどを備えている。撮像部１７０Ａ及び撮像部１７０Ｂは、スクリーンＳＣを含む範囲を撮像範囲とし、撮像した範囲の画像を生成し、生成した画像を制御部１１０へ出力する。なお、本実施形態においては、プロジェクター１０がスクリーンＳＣの斜め上方に設置されるため、撮像部１７０Ａ及び撮像部１７０Ｂは、スクリーンＳＣを含む範囲を斜め上方から撮像することになる。通信部１８０は、赤外光を発する発光ダイオードを備えている。通信部１８０は、発光ダイオードの点灯及び消灯が制御部１１０により制御され、発光部２３０の点灯及び消灯を制御するための赤外光の信号を送信する。また、通信部１８０は、ＰＣと通信を行うための通信インターフェースを有し、例えば、ＵＳＢや無線ＬＡＮ、有線のＬＡＮなどの通信インターフェースを備える。
【００２８】
図３は、制御部１１０がプログラムを実行することにより実現する機能と、制御部２１０において実現する機能の構成を示した機能ブロック図である。まず、プロジェクター１０の制御部１１０において実現する機能について説明する。
【００２９】
位置特定部１１３は、画像の投写領域において指示体２０の発光部２３０の位置や指示体の一例である指の位置を、例えば図４に示したタイムチャートで周期的に特定する。指の位置や発光部２３０の位置を特定する期間は、図４に示したようにフェーズＰ１１からフェーズＰ１４までの４つのフェーズを有する。指の位置や発光部２３０の位置を検出する際には、フェーズＰ１１からフェーズＰ１４までが繰り返される。フェーズＰ１１は、プロジェクター１０が撮像部１７０Ａ及び撮像部１７０Ｂで撮像を行うタイミングと、指示体２０が発光するタイミング及び発光装置３０が赤外光を出射するタイミングを同期させるためのフェーズである。フェーズＰ１１においては、位置特定部１１３は、所定期間ｔｅ１で赤外光の同期信号が出力されるように通信部１８０を制御する。
【００３０】
指示体２０においては、通信部２２０が同期信号を受光し、同期信号を受光してから所定時間が経過すると、予め設定された期間ｔｅ２で発光部２３０が点灯するように、制御部２１０が発光部２３０を制御する。本実施形態においては、フェーズＰ１２、フェーズＰ１３及びフェーズＰ１４の開始時点から発光部２３０が点灯するように制御される。また、位置特定部１１３は、フェーズＰ１２及びフェーズＰ１４の開始時間から期間ｔｅ２で発光装置３０が赤外光を出射するように、発光装置３０を制御する。
【００３１】
位置特定部１１３は、フェーズＰ１２〜フェーズＰ１４において、撮像部１７０Ａ及び撮像部１７０Ｂを制御し、設定されているシャッタースピードでスクリーンＳＣを含む所定範囲を撮像する。撮像部１７０Ａ及び撮像部１７０Ｂにおいて電子シャッター機能により露光が行われる露光期間は、フェーズＰ１２〜フェーズＰ１４の各フェーズの開始時点から始まり、露光が終了する時点は、設定されているシャッタースピードにより定まる。撮像部１７０Ａ及び撮像部１７０ＢがフェーズＰ１２〜フェーズＰ１４の露光期間で撮像した画像は、位置特定部１１３へ供給される。
【００３２】
位置特定部１１３は、撮像部１７０Ａ及び撮像部１７０Ｂから供給された画像を用いて、投写された画像上にある指や発光部２３０の位置、スクリーンＳＣから発光部２３０までの距離を特定する。具体的には、フェーズＰ１２とフェーズＰ１４において、発光装置３０が発した赤外光が指に照射されている場合には、撮像部１７０Ａ及び撮像部１７０Ｂで得られた画像に発光装置３０から出射されて指で反射した赤外光が映る。また、フェーズＰ１２とフェーズＰ１４において、発光部２３０が撮像部１７０Ａ及び撮像部１７０Ｂの撮像範囲内にあると、撮像部１７０Ａ及び撮像部１７０Ｂで得られた画像に発光部２３０が発した赤外光も映る。フェーズＰ１３においては、発光装置３０は光を出射しないため、撮像部１７０Ａ及び撮像部１７０Ｂで得られた画像には、発光部２３０が発した赤外光が映る。
【００３３】
位置特定部１１３は、フェーズＰ１２〜フェーズＰ１４において、撮像部１７０Ａ及び撮像部１７０Ｂで得られた画像に映る赤外光の位置及びスクリーンＳＣまでの距離をステレオ法により特定する。位置特定部１１３は、フェーズＰ１２とフェーズＰ１４において位置を特定した赤外光のうち、フェーズＰ１３において位置を特定した赤外光の位置に近い位置の赤外光を特定し、特定した赤外光の位置を発光部２３０の位置とする。また、位置特定部１１３は、フェーズＰ１２とフェーズＰ１４において位置を特定した赤外光のうち、フェーズＰ１３において位置を特定した赤外光から遠い赤外光の位置を指の位置とする。なお、位置特定部１１３は、フェーズＰ１３において赤外光が撮像範囲内に無い場合には、フェーズＰ１２とフェーズＰ１４において特定した位置を指の位置とする。これらの特定した位置は、描画機能やＧＵＩの操作を行うときに使用される。
【００３４】
画像制御部１１２は、投写している画像に対し、位置特定部１１３が検知した位置に応じてオンスクリーン画像（描画像）を映像処理部１５０へ供給し、指示体２０や指が指示した位置に描画を行う。つまり、画像制御部１１２は、描画像を生成する描画部としても機能する。また、画像制御部１１２は、指示体２０又は指の位置に応じて描画した画像の記憶や当該画像の表示を制御する。
【００３５】
次に、指示体２０の制御部２１０において実現する機能について説明する。信号取得部２１１は、通信部２２０が受信した同期信号を取得する。発光制御部２１２は、信号取得部２１１から同期信号を取得し、同期信号を取得してから所定時間が経過すると、フェーズＰ１２〜フェーズＰ１４において期間ｔｅ２で発光部２３０が点灯するように、発光部２３０を制御する。
【００３６】
（実施形態の動作例）
本実施形態の動作例について説明する。ユーザーは、リモートデスクトップの接続先として情報処理装置４０を指定し、接続を指示する操作をプロジェクター１０において行う。制御部１１０は、情報処理装置４０への接続を指示する操作が行われると、接続のために必要となるユーザー名やパスワードなどの情報を、通信部１８０を制御して情報処理装置４０へ送信する。なお、情報処理装置４０がプロジェクター１０との接続を指示する操作を受け付け、接続のために必要となるアドレスやパスワード、ユーザー名等の情報を、情報処理装置４０からプロジェクター１０へ送信し、プロジェクター１０の通信部１８０が当該情報を受信し、制御部１１０へ送信するようにしてもよい。
【００３７】
情報処理装置４０は、プロジェクター１０から送信された情報に応じてプロジェクター１０の接続を許可してセッションを確立する。情報処理装置４０は、プロジェクター１０の接続を許可すると、情報処理装置４０が提供するＧＵＩの画像（背景画像の一例）をプロジェクター１０へ供給する。プロジェクター１０においては、情報処理装置４０から供給される画像を通信部１８０が取得し、通信部１８０が取得した画像は映像処理部１５０へ送られる。供給された画像は映像処理部１５０から投写部１４０へ送られ、情報処理装置４０のＧＵＩの画像がスクリーンＳＣに投写される。
【００３８】
また、ユーザーは、情報処理装置４０を操作し、プロジェクター１０が確立したセッションへ接続する操作を行う。この操作が行われると、情報処理装置４０は、プロジェクター１０が確立したセッションへ接続し、プロジェクター１０へ提供しているＧＵＩの画面を表示する。この状態においては、プロジェクター１０へ提供しているＧＵＩの画面を情報処理装置４０においても操作することが可能となる。
【００３９】
次に、ユーザーがプレゼンテーション用のプログラムを起動する操作を情報処理装置４０において行うと、情報処理装置４０は、プレゼンテーション用のプログラムを起動し、当該プログラムのＧＵＩの画像（背景画像の一例）をプロジェクター１０へ供給する。プロジェクター１０は、供給された画像をスクリーンＳＣへ投写する。
【００４０】
次に情報処理装置４０において、プレゼンテーション用のスライドのファイルを開く操作をユーザーが行うと、情報処理装置４０は、スライドのファイルを開き、当該スライドの画像（背景画像の一例）をプロジェクター１０へ供給する。供給された画像をプロジェクター１０がスクリーンＳＣへ投写すると、プレゼンテーション用のスライドの画像が表示される。
【００４１】
ユーザーは、投写された画像に対して描画機能で描画を行う場合、描画機能をオンにする操作をプロジェクター１０において行う。プロジェクター１０において描画機能がオンとなると、投写された画像に対して指示体２０で描画を行うことが可能となる。具体的には、ユーザーは、スクリーンＳＣ上において描画を行う位置に指示体２０を接触させる。制御部１１０（位置特定部１１３）は、描画機能がオンである場合、撮像部１７０Ａ及び撮像部１７０Ｂから供給される画像を解析し、指示体２０の位置を特定する。制御部１１０（画像制御部１１２）は、検出した指示体の位置に応じてオンスクリーン画像を生成し、生成したオンスクリーン画像を映像処理部１５０へ供給する。オンスクリーン画像が映像処理部１５０へ供給されると、投写されているスライドの画像にオンスクリーン画像が重畳されて投写される。つまり、制御部１１０と映像処理部１５０は協働し、外部装置から供給された画像に描画像を重畳した画像を生成して投写部１４０へ供給する画像制御部として機能する。例えば、ユーザーがスクリーンＳＣに指示体２０を接触させながら移動させた場合、指示体２０の移動軌跡に対応した線のオンスクリーン画像（以下、説明の便宜上、描画像と称する）がスクリーンＳＣに投写される。
【００４２】
次に情報処理装置４０は、プレゼンテーション用のスライドを進める又は戻す操作をユーザーが行うと、表示するスライドを変更し、スライドの変更を検知する。情報処理装置４０は、スライドの変更を検知すると、提供する画像を変更したことを表す通知を、プロジェクター１０との間で確立しているセッションを介してプロジェクター１０へ送る。また、情報処理装置４０は、変更後のスライドの画像をプロジェクター１０へ提供する。
【００４３】
情報処理装置４０から供給された画像をプロジェクター１０がスクリーンＳＣへ投写すると、変更後のスライドの画像がスクリーンＳＣに投写される。また、画像を変更したことを表す通知を、本発明に係る取得部の一例である通信部１８０が取得すると、制御部１１０（画像制御部１１２）は、オンスクリーン画像を消去する。これにより、スクリーンＳＣにおいては、投写されていた描画像が消去され、変更後のスライドの画像のみが投写される。
【００４４】
以上説明したように本実施形態によれば、表示された画像に対して指示体により描画が行われた場合、表示する画像の変化に応じて描画像を処理し、変化後の画像に対応していない描画像を消去することができる。
【００４５】
なお、上記の説明においては、指示体２０を用いて描画を行う例を説明したが、本発明においては、指示体としてユーザーの指を使用する場合にも、指の位置に応じた描画を行うことができる。
【００４６】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した各実施形態及び以下の変形例は、一つ又は複数を適宜組み合わせて実施してもよい。
【００４７】
上述した実施形態においては、情報処理装置４０は、スライドを変更する操作が行われた場合、提供する画像を変更したことを表す通知をプロジェクター１０へ送り、プロジェクター１０は、この通知に応じて描画像を消去しているが、描画像を消去する通知は、この通知に限定されるものではない。例えば、情報処理装置４０は、プロジェクター１０へ提供する画像を変更する場合、描画像の消去を指示する通知をプロジェクター１０へ送るようにしてもよく、プロジェクター１０は、この通知に応じて描画像を消去するようにしてもよい。
【００４８】
上述した実施形態においては、スライドを変更する操作が行われると、提供する画像を変更したことを表す通知をプロジェクター１０へ送り、変形例においては、描画像の消去を指示する通知を送るが、これらの通知を送るのは、スライドを変更する操作が行われたときに限定されるものではない。例えば、情報処理装置４０において、スライドの画像を拡大又は縮小する操作が行われた場合にも、情報処理装置４０は、上述の実施形態の通知や変形例の通知をプロジェクター１０へ送るようにしてもよい。この変形例によれば、表示された画像に対して指示体により描画が行われた場合、表示する画像の変化に応じて描画像を処理し、拡大又は縮小された画像に対応していない描画像を消去することができる。
【００４９】
なお、スライドの画像を拡大又は縮小する操作が行われた場合、描画像を消去するのではなく、スライドの画像の拡大又は縮小に応じて描画像を拡大又は縮小するようにしてもよい。この変形例の場合、情報処理装置４０は、例えば、スライドにおいて拡大して表示している領域の頂点の座標をプロジェクター１０へ送る。プロジェクター１０の制御部１１０は、情報処理装置４０から送られた座標で特定される領域に基づいて、描画像の拡大又は縮小と表示位置の変更処理を行う。
【００５０】
上述した実施形態においては、情報処理装置４０から供給される画像と描画像を表示する装置はプロジェクターとなっているが、情報処理装置４０から供給される画像と描画像を表示する装置はプロジェクターに限定されるものではない。例えば、情報処理装置４０から供給される画像と描画像を表示する装置は、直視型のディスプレイ装置であってもよい。直視型のディスプレイ装置を備える表示装置の場合、例えば、指の位置を検出可能なタッチパネルを採用し、撮像部１７０Ａ及び撮像部１７０Ｂに替えて、指示体である指の位置をタッチパネルで検出する。表示装置においては、タッチパネルで特定した指の位置に応じて描画像を表示し、情報処理装置４０から送られる通知に応じて描画像を消去する。
【００５１】
上述した実施形態においては、プロジェクター１０は、情報処理装置４０からの通知に応じて描画像を消去しているが、通知に応じて行う処理は、描画像の消去に限定されるものではない。例えば、情報処理装置４０は、スライドの画像をプロジェクター１０へ送る際に、スライドのページ番号をプロジェクター１０へ送信し、プロジェクター１０は、情報処理装置４０から送られたページ番号を取得する。プロジェクター１０は、描画像を生成すると、取得した情報が表すページ番号に対応付けて、描画像のデータと、描画像の表示位置を記憶部１２０又はＲＡＭに記憶させる。
次にスライドを変更する操作がユーザーにより行われると、情報処理装置４０は、画像を変更したことを表す通知、変更後のスライドの画像、変更後のスライドのページ番号をプロジェクター１０へ送る。プロジェクター１０の制御部１１０は、通知に応じて描画像を消去する。また、制御部１１０は、描画像を消去した後、プロジェクター１０から送られたページ番号に対応付けて記憶されている描画像のデータと描画像の表示位置を取得し、取得した表示位置に取得したデータが表す描画像が表示されるようにオンスクリーン画像を映像処理部１５０へ送る。この構成によれば、例えば、１ページ目のスライドが表示されているときに指示体２０で描画を行い、スライドを２ページ目に進めた後に１ページ目に戻した場合、１ページ目のスライドが表示されていたときに描画された描画像を復元して表示することができる。
【符号の説明】
【００５２】
１…表示システム、１０…プロジェクター、２０…指示体、３０…発光装置、４０…情報処理装置、１１０…制御部、１１２…画像制御部、１１３…位置特定部、１２０…記憶部、１３０…操作部、１４０…投写部、１５０…映像処理部、１５１…ＶＲＡＭ、１６０…映像インターフェース、１７０Ａ、１７０Ｂ…撮像部、１８０…通信部、２１０…制御部、２１１…信号取得部、２１２…発光制御部、２２０…通信部、２３０…発光部、２４０…操作部、２５０…電源、ＳＣ…スクリーン。
【図１】
2017181539.tif 000003
【図２】
2017181539.tif 000004
【図３】
2017181539.tif 000005
【図４】
2017181539.tif 000006